(57)【要約】【課題】出射する光の量を制御する機能を電源の状態に合わせて実行できるようにする。【解決手段】第１の光を出射する光源部１１１、及び、第１の光を変調した第２の光を出射する光変調装置１１２を備え、第２の光をスクリーンＳＣに投射する投射部１１０と、プロジェクター１００を駆動させる電力を生成する電源部１６０であって、２００ボルトの商用交流電源ＤＧ、及び、１００ボルトの商用交流電源ＤＧのうちいずれかに接続した場合でも電力を生成する電源部１６０と、光源部１１１が出射する第１の光の量を制御する光源駆動部１２２と、電源部１６０が２００ボルトの商用交流電源ＤＧに接続する場合、光源部１１１による第１の光の量を制御する機能の実行を可能とし、電源部１６０が１００ボルトの商用交流電源ＤＧに接続する場合、機能の実行を制限する制御部１３０と、を備える。【選択図】図１
2017129698.tif 000002
【特許請求の範囲】
【請求項１】
プロジェクターであって、
第１の光を出射する光源部、及び、画像情報に応じて、前記第１の光を変調した第２の光を出射する光変調部を備え、前記第２の光を投射面に投射する投射部と、
前記プロジェクターを駆動させる電力を生成する電源部であって、第１の電源電圧を有する第１の電源、及び、前記第１の電源電圧より低い第２の電源電圧を有する第２の電源のうちいずれかに接続した場合でも前記電力を生成する前記電源部と、
前記光源部が出射する前記第１の光の量を制御する光源駆動部と、
前記電源部が前記第１の電源に接続する場合、前記光源部による前記第１の光の量を制御する機能の実行を可能とし、前記電源部が前記第２の電源に接続する場合、前記機能の実行を制限する制御部と、を備える、
ことを特徴とするプロジェクター。
【請求項２】
前記制御部は、前記電源部が前記第２の電源に接続する場合、前記機能の選択を受け付けないことを示す表示を前記投射部により投射させる、
ことを特徴とする請求項１に記載のプロジェクター。
【請求項３】
前記制御部は、前記機能の選択を受け付けないことを示す情報を、前記投射部が投射を開始してから所定の期間、前記投射部により投射させる、
ことを特徴とする請求項２に記載のプロジェクター。
【請求項４】
前記制御部は、
前記機能の実行の可否を指定する操作を行うためのメニュー画面を前記投射部により投射し、
前記電源部が前記第２の電源に接続する場合、前記メニュー画面に対する前記機能の実行の可否を指定する操作を受け付けない、
ことを特徴とする請求項２に記載のプロジェクター。
【請求項５】
前記光源駆動部は、
前記第１の光の量を、前記機能により、第１の状態と、前記第１の状態と異なる第２状態とする制御を実行し、
前記電源部が前記第１の電源に接続する場合、前記メニュー画面に対する操作により設定された前記第１の状態又は第２の状態のいずれかに制御し、
前記電源部が前記第２の電源に接続する場合、前記第１の光の量を前記第２の状態に制御する、
ことを特徴とする請求項４に記載のプロジェクター。
【請求項６】
第１の光を出射する光源部、及び、画像情報に応じて、前記第１の光を変調した第２の光を出射する光変調部を備え、前記第２の光を投射面に投射する投射部と、プロジェクターを駆動させる電力を生成する電源部であって、第１の電源電圧を有する第１の電源、及び、前記第１の電源電圧より低い第２の電源電圧を有する第２の電源のうちいずれかに接続した場合でも前記電力を生成する前記電源部と、を備えるプロジェクターの制御方法であって、
前記光源部が出射する前記第１の光の量を制御するよう機能し、
前記電源部が前記第１の電源に接続する場合、前記光源部による前記第１の光の量を制御する機能の実行を可能とし、前記電源部が前記第２の電源に接続する場合、前記機能の実行を制限する、
ことを特徴とするプロジェクターの制御方法。
【発明の詳細な説明】
【技術分野】
【０００１】
本発明は、プロジェクター、及び、プロジェクターの制御方法に関する。
【背景技術】
【０００２】
従来、２００ボルトで駆動するプロジェクターを１００ボルトで駆動させる技術が知られている（例えば、特許文献１参照）。特許文献１には、１００ボルトの商用電源にプロジェクターが接続する場合、点灯するランプの数を低減させること、或いは、ランプの出力を低下させることにより、１００ボルトで駆動するプロジェクターが開示されている。
【先行技術文献】
【特許文献】
【０００３】
【特許文献１】特開２０１３−１２０２５８号公報
【発明の概要】
【発明が解決しようとする課題】
【０００４】
一般に、プロジェクターは、出射する光の量を制御する機能を有する。この種の機能は、供給される電力の影響を受ける。しかしながら、特許文献１記載のプロジェクターのように、電源電圧が異なる場合における当該機能の実行について、従来、提案はなかった。
そこで、本発明は、出射する光の量を制御する機能を、電源の状態に合わせて実行できるようにすることを目的とする。
【課題を解決するための手段】
【０００５】
上記目的を達成するために、本発明は、プロジェクターであって、第１の光を出射する光源部、及び、画像情報に応じて、前記第１の光を変調した第２の光を出射する光変調部を備え、前記第２の光を投射面に投射する投射部と、前記プロジェクターを駆動させる電力を生成する電源部であって、第１の電源電圧を有する第１の電源、及び、前記第１の電源電圧より低い第２の電源電圧を有する第２の電源のうちいずれかに接続した場合でも前記電力を生成する前記電源部と、前記光源部が出射する前記第１の光の量を制御する光源駆動部と、前記電源部が前記第１の電源に接続する場合、前記光源部による前記第１の光の量を制御する機能の実行を可能とし、前記電源部が前記第２の電源に接続する場合、前記機能の実行を制限する制御部と、を備えることを特徴とする。
この構成によると、電源部が第１の電源に接続する場合と、電源電圧の低い第２の電源に接続する場合とで、光の量の制御を変える。そのため、接続する電源の状態に応じて、出射する光の量を制御する機能を実行できる。
【０００６】
また、本発明のプロジェクターは、前記制御部は、前記電源部が前記第２の電源に接続する場合、前記機能の選択を受け付けないことを示す表示を前記投射部により投射させることを特徴とする。
この構成によると、出射する光の量を制御する機能の選択を受け付けないことを示す表示を投射するため、ユーザーに当該機能の選択ができないことを報知できる。
【０００７】
また、本発明のプロジェクターは、前記制御部は、前記機能の選択を受け付けないことを示す情報を、前記投射部が投射を開始してから所定の期間、前記投射部により投射させることを特徴とする。
この構成によると、投射を開始してから所定の期間、出射する光の量を制御する機能の選択を受け付けないことを示す情報を投射するため、ユーザーに当該機能の選択ができないことを報知できる。
【０００８】
また、本発明のプロジェクターは、前記制御部は、前記機能の実行の可否を指定する操作を行うためのメニュー画面を前記投射部により投射し、前記電源部が前記第２の電源に接続する場合、前記メニュー画面に対する前記機能の実行の可否を指定する操作を受け付けないことを特徴とする。
この構成によると、メニュー画面に対する機能の実行の可否を指定する操作を受け付けないため、ユーザーが機能の実行を指示した場合に、出射する光の量を制御できないといった不具合の発生を防止できる。
【０００９】
また、本発明のプロジェクターは、前記光源駆動部は、前記第１の光の量を、前記機能により、第１の状態と、前記第１の状態と異なる第２状態とする制御を実行し、前記電源部が前記第１の電源に接続する場合、前記メニュー画面に対する操作により設定された前記第１の状態又は第２の状態のいずれかに制御し、前記電源部が前記第２の電源に接続する場合、前記第１の光の量を前記第２の状態に制御することを特徴とする。
この構成によると、電源部が第１の電源に接続する場合、第１の光の量を第１の状態又は第２の状態のいずれかに制御し、電源部が第２の電源に接続する場合、第１の光の量を第１の状態に制御する。そのため、接続する電源に応じて、出射する光の量を制御する機能を実行できる。
【００１０】
上記目的を達成するために、本発明は、第１の光を出射する光源部、及び、画像情報に応じて、前記第１の光を変調した第２の光を出射する光変調部を備え、前記第２の光を投射面に投射する投射部と、プロジェクターを駆動させる電力を生成する電源部であって、第１の電源電圧を有する第１の電源、及び、前記第１の電源電圧より低い第２の電源電圧を有する第２の電源のうちいずれかに接続した場合でも前記電力を生成する前記電源部と、を備えるプロジェクターの制御方法であって、前記光源部が出射する前記第１の光の量を制御するよう機能し、前記電源部が前記第１の電源に接続する場合、前記光源部による前記第１の光の量を制御する機能の実行を可能とし、前記電源部が前記第２の電源に接続する場合、前記機能の実行を制限することを特徴とする。
この構成によると、電源部が第１の電源に接続する場合と、電源電圧の低い第２の電源に接続する場合とで、光の量の制御を変える。そのため、接続する電源の状態に応じて、出射する光の量を制御する機能を実行できる。
【図面の簡単な説明】
【００１１】
【図１】プロジェクターの構成を示すブロック図。
【図２】メニュー画面の一例を示す図。
【図３】プロジェクターの動作を示すフローチャート。
【図４】変形例におけるメニュー画面の一例を示す図。
【発明を実施するための形態】
【００１２】
図１は、プロジェクター１００の構成を示すブロック図である。
プロジェクター１００は、投射対象に画像光を投射して、投射対象の面に画像データ（画像情報）に基づく画像を形成する。プロジェクター１００が画像を投射する投射対象は、平面あっても曲面や凹凸面であってもよいが、本実施形態では、平面で構成されるスクリーンＳＣ（投射面）に投射する場合を例示する。スクリーンＳＣは、壁面等の固定された平面を利用してもよいし、吊り下げ式や立ち上げ式の幕状のスクリーンであってもよい。プロジェクター１００は、画像光を投射する投射開口部（不図示）が設けられる。投射開口部は、プロジェクター１００に内蔵される投射光学系１１３が光を放射する開口部である。
【００１３】
図１に示すように、プロジェクター１００は、インターフェイス部（以下、Ｉ／Ｆ部と略記する）１２４を備える。Ｉ／Ｆ部１２４は、例えば、デジタル映像信号が入力されるＤＶＩインターフェイス、ＵＳＢインターフェイス、ＬＡＮインターフェイス等を用いることができる。また、Ｉ／Ｆ部１２４には、例えば、ＮＴＳＣや、ＰＡＬ、ＳＥＣＡＭ等のコンポジット映像信号が入力されるＳ映像端子や、コンポジット映像が入力されるＲＣＡ端子、コンポーネント映像信号が入力されるＤ端子等を用いることができる。さらに、Ｉ／Ｆ部１２４には、ＨＤＭＩ（登録商標）規格に従ったＨＤＭＩコネクター等の汎用インターフェイスを用いることができる。
【００１４】
プロジェクター１００は、大きく分けて光学的な画像の形成を行う投射部１１０と、この投射部１１０に入力される画像信号を電気的に処理する画像処理系と、を備える。
【００１５】
投射部１１０は、光源部１１１と、液晶パネル１１２Ａを備える光変調装置１１２（光変調部）と、投射光学系１１３とを備える。
【００１６】
光源部１１１は、キセノンランプや、超高圧水銀ランプ、ＬＥＤ（Light Emitting Diode）、レーザー等からなる光源を備える。光源部１１１は、光源が発した第１の光を光変調装置１１２に出射する。光源部１１１は、光源が発した第１の光を光変調装置１１２に導くリフレクター及び補助リフレクターを備えていてもよい。また、光源部１１１は、投射光の光学特性を高めるためのレンズ群や、偏光板、又は、光源が発した光の光量を光変調装置１１２に至る経路上で低減させる調光素子等（いずれも図示略）を備えるものであってもよい。
【００１７】
光変調装置１１２は、例えば、透過型の液晶パネル１１２Ａを備え、この液晶パネル１１２Ａに後述する画像処理系からの信号を受けて画像を形成する。この場合、光変調装置１１２は、カラーの投影を行うための、ＲＧＢの三原色に対応した３枚の液晶パネル１１２Ａを備え、光源部１１１からの第１の光はＲＧＢの三色の色光に分離され、各色光は対応する各液晶パネル１１２Ａに入射する。各液晶パネル１１２Ａを通過して変調された色光は、クロスダイクロイックプリズム等の合成光学系によって合成され、投射光学系１１３に射出される。すなわち、光変調装置１１２は、光源から出射された第１の光を変調し、投射光学系１１３に第１の光を変調した第２の光を出射する。
なお、光変調装置１１２は、透過型の液晶パネル１１２Ａを三枚用いた構成に限定されず、例えば三枚の反射型の液晶パネルを用いることも可能である。また、光変調装置１１２は、１枚の液晶パネルとカラーホイールを組み合わせた方式等により構成してもよい。ここで、光変調装置１１２として一枚のみの液晶パネル１１２Ａ又はＤＭＤ（Digital Mirror Device）を用いる場合には、クロスダイクロイックプリズム等の合成光学系に相当する部材は不要である。また、液晶パネル１１２Ａ及びＤＭＤ以外にも、光源部１１１が出射した第１の光を変調可能な構成であれば採用できる。
【００１８】
投射光学系１１３は、光変調装置１１２で変調された入射光（第２の光）を、投射レンズを用いて投射開口部（不図示）から外に向けて放射し、スクリーンＳＣ上に投射画像を結像させる。
【００１９】
投射部１１０には、投射光学系駆動部１２１及び光源駆動部１２２が接続される。投射光学系駆動部１２１は、後述する制御部１３０の制御に従って、投射光学系１１３が備える各モーターを駆動する。
【００２０】
光源駆動部１２２は、制御部１３０の制御に従って、光源部１１１が備える光源を駆動する。また、光源駆動部１２２は、制御部１３０の制御に従って、光源部１１１が光変調装置１１２に出射する第１の光の量を制御する。例えば、光源部１１１が、複数のＬＥＤが並べて配置されたＬＥＤアレイを複数有する場合、光源駆動部１２２は、点灯するＬＥＤアレイの数を制御、又は、ＬＥＤアレイのそれぞれの出力を制御して、第１の光の量を制御する。また、例えば、光源部１１１がランプである場合、光源駆動部１２２は、ランプに出力する電圧を制御して、第１の光の量を制御する。
【００２１】
投射光学系駆動部１２１及び光源駆動部１２２は、バス１０５に接続される。
【００２２】
プロジェクター１００は、通信部１５６を備える。通信部１５６は、バス１０５に接続される。通信部１５６は、制御部１３０の制御に従って、外部の装置と通信規格に従って通信する。
【００２３】
プロジェクター１００の備える画像処理系は、プロジェクター１００全体を統合的に制御する制御部１３０を中心に構成され、その他、記憶部１５１、画像処理部１２５、光変調装置駆動部１２３、入力処理部１５３を備える。制御部１３０、記憶部１５１、入力処理部１５３、画像処理部１２５、及び、光変調装置駆動部１２３は、それぞれバス１０５に接続される。
【００２４】
制御部１３０は、図示しないＣＰＵ（Central Processing Unit）、ＲＯＭ（Read Only Memory）、ＲＡＭ（Random Access Memory）等を備え、ＲＯＭに記憶した制御プログラムをＣＰＵにより実行して、プロジェクター１００を制御する。また、制御部１３０は、記憶部１５１に記憶された制御プログラムを読み出して実行することにより、後述する投射制御部１３１、通信制御部１３２、及び、電源制御部１３３として機能する。
【００２５】
記憶部１５１は、フラッシュメモリーや、ＥＥＰＲＯＭ（Electrically Erasable Programmable Read-Only Memory）等の不揮発性のメモリーで構成され、各種データを書き換え可能に不揮発的に記憶する。記憶部１５１は、プロジェクター１００の制御に使用される制御プログラムや、画像データ等を記憶する。
【００２６】
画像処理部１２５は、Ｉ／Ｆ部１２４から入力される画像データを、光変調装置１１２の液晶パネル１１２Ａの仕様に適合した解像度のデータに変換する解像度変換処理等を実行する。画像処理部１２５は、光変調装置１１２により表示する表示用画像をフレームメモリー１２６に描画して、描画した表示用画像を光変調装置駆動部１２３に出力する。光変調装置駆動部１２３は、画像処理部１２５から入力した表示用画像に基づいて、光変調装置１１２を駆動する。これにより、光変調装置１１２の液晶パネル１１２Ａに画像が描画され、描画された画像が、投射光学系１１３を介してスクリーンＳＣに投射画像として投射される。
【００２７】
プロジェクター１００は、ユーザーが操作を行うための各種スイッチ、及び、インジケーターランプを備える操作パネル１５５を備える。操作パネル１５５は、入力処理部１５３に接続される。入力処理部１５３は、制御部１３０の制御に従って、プロジェクター１００の動作状態や設定状態に応じて操作パネル１５５のインジケーターランプを適宜点灯或いは点滅させる。操作パネル１５５のスイッチが操作されると、操作されたスイッチに対応する操作信号が入力処理部１５３から制御部１３０に出力される。
また、プロジェクター１００は、ユーザーが使用するリモコン（不図示）を有する。リモコンは、各種のボタンを備えており、これらのボタンの操作に対応して赤外線信号を送信する。プロジェクター１００は、リモコンが発する赤外線信号を受光するリモコン受光部１５４を備える。リモコン受光部１５４は、リモコンから受光した赤外線信号をデコードして、リモコンにおける操作内容を示す操作信号を生成し、制御部１３０に出力する。
【００２８】
電源部１６０は、ケーブルを介して商用交流電源ＤＧに接続し、商用交流電源ＤＧから供給される電力に基づいてプロジェクター１００を駆動させる電力を生成する。電源部１６０は、生成した電力を、プロジェクター１００の各部に供給する。本実施形態において、電源部１６０は、接続する商用交流電源ＤＧの電圧が２００ボルト（第１の電源電圧）の場合と、１００ボルト（第２の電源電圧）の場合とがあり、商用交流電源ＤＧの電圧が２００ボルトであっても１００ボルトであっても、プロジェクター１００を駆動させる電力を生成する。ここで、２００ボルトの商用交流電源ＤＧは、第１の電源に相当し、１００ボルトの商用交流電源ＤＧは、第２の電源に相当する。
【００２９】
次に、制御部１３０の備える投射制御部１３１と、通信制御部１３２と、電源制御部１３３と、について説明する。
【００３０】
投射制御部１３１は、画像処理部１２５を制御して、Ｉ／Ｆ部１２４を介して供給される画像データに基づいてフレームメモリー１２６に画像を描画させる。また、投射制御部１３１は、画像処理部１２５を制御して、記憶部１５１が記憶する画像データに基づいてフレームメモリー１２６に画像を描画させる。投射制御部１３１は、光変調装置駆動部１２３を制御して、フレームメモリー１２６に描画された画像を光変調装置１１２の液晶パネル１１２Ａに描画させる。光変調装置１１２の液晶パネル１１２Ａに描画された画像は、投射光学系１１３を介してスクリーンＳＣ上に投射画像として投射される。
【００３１】
通信制御部１３２は、通信部１５６を制御して外部の装置と通信を行う。
【００３２】
電源制御部１３３は、電源部１６０が接続する商用交流電源ＤＧの状態を監視し、接続する商用交流電源ＤＧを判別する。つまり、電源制御部１３３は、電源部１６０を監視し、電源部１６０が２００ボルトの商用交流電源ＤＧに接続されているか、１００ボルトの商用交流電源ＤＧに接続されているかを判別する。
【００３３】
ところで、プロジェクター１００は、光源部１１１が出射する第１の光の量を制御する機能を有し、当該機能によりスクリーンＳＣに放射する光の量を制御する。プロジェクター１００は、第１の光の量を制御する機能を実行する際、当該機能を実行の可否を指定する操作を行うためのメニュー画面を、スクリーンＳＣに投射する。
【００３４】
図２は、メニュー画面ＭＧの一例を示す図である。
【００３５】
図２に示すメニュー画面ＭＧは、リモコンや操作パネル１５５等の操作により選択し、光源モードの実行の可否を指定するボタンＢ１と、明るさレベルの実行の可否を指定するボタンＢ２とを有する。
【００３６】
光源モードは、予め設定された光の明るさに切り替えるための設定モードを有する。光源モードは、設定モードを複数有する。ユーザーは、光源モードが有する設定モードを選択することによって、スクリーンＳＣに放射する光の明るさを切り替えることができる。プロジェクター１００は、ユーザーがボタンＢ１を選択し、光源モードが有する設定モードを選択すると、選択された設定モードが示す光の明るさになるよう、第１の光の量を光源部１１１が出射する。例えば、光源部１１１が、光源として、複数のＬＥＤを並べて有するＬＥＤアレイを２０本有する構成とした際、ユーザーによる設定モードの選択により光の明るさを切り替える場合、プロジェクター１００は、ＬＥＤアレイのそれぞれが出射する第１の光の量を制御する。
【００３７】
明るさレベルは、スクリーンＳＣに放射される光の明るさが、ユーザーが設定する光の明るさになるよう、光源部１１１が出射する第１の光の量を制御する機能である。プロジェクター１００は、ユーザーがボタンＢ２を選択した場合、スクリーンＳＣに放射される光の明るさが、ユーザーが設定する光の明るさになるように、光源部１１１が出射する第１の光の量を制御する。
【００３８】
前述した通り、電源部１６０は、接続する商用交流電源ＤＧの電圧が２００ボルトの場合であっても１００ボルトであっても、プロジェクター１００を駆動させる電力を生成する。ここで、電源部１６０が１００ボルトの商用交流電源ＤＧに接続する場合、プロジェクター１００は、１００ボルトの商用交流電源ＤＧからの電力の供給不足に起因して、スクリーンＳＣに放射する光の明るさを制御する機能を制限する場合がある。つまり、プロジェクター１００は、光源部１１１が出射する第１の光の量を制御する機能を制限する場合がある。この場合において、当該制限を認識しないユーザーが当該機能の実行を指示した場合、機能の実行を指示しているにも係らず、プロジェクター１００がスクリーンＳＣに放射する光の明るさを制御する機能を実行しないといった不具合が発生する可能性がある。
【００３９】
そこで、本実施形態のプロジェクター１００は、以下に示す動作を実行する。
【００４０】
プロジェクター１００の電源制御部１３３は、ユーザーによる操作パネル１５５やリモコン等の操作により、プロジェクター１００の電源がオンにされたか否かを判別する（ステップＳ１）。電源がオンであると判別した場合（ステップＳ１：ＹＥＳ）、電源制御部１３３は、電源部１６０が２００ボルトの商用交流電源ＤＧに接続するか否かを判別する（ステップＳ２）。
【００４１】
電源部１６０が２００ボルトの商用交流電源ＤＧに接続すると判別した場合（ステップＳ２：ＹＥＳ）、制御部１３０は、通常動作モードを開始する（ステップＳ３）。
【００４２】
本実施形態において、通常動作モードは、光源部１１１が出射する第１の光の量を第１の状態、又は、第１の状態と異なる第２の状態のいずれかになるように、光源駆動部１２２が制御するモードである。ここで、第１の状態とは、例えば、光源部１１１がＬＥＤアレイを２０本有する場合、２０本のＬＥＤアレイを点灯させた場合の第１の光の量の状態を示す。また、第２の状態とは、前述の通り第１の状態と異なる状態であり、例えば、２０本のＬＥＤアレイのうち８本のＬＥＤアレイを点灯させた場合の第１の光の量の状態を示す。
本実施形態において、光源駆動部１２２は、第１の光の量について、第１の状態の第１の光の量が、第２の状態の第１の光の量より大きくなるよう制御する。したがって、光源部１１１がランプを有する場合、光源駆動部１２２は、第１の状態で第１の光を出射する際、第２の状態より第１の光の量が大きくなるように、ランプに出力する電圧を制御する。
また、通常動作モードは、光源部１１１が出射する第１の光の量の制御を制限しないモードである。
【００４３】
次いで、投射制御部１３１は、通常動作モードを開始すると、光源駆動部１２２を制御し、２００ボルトの商用交流電源ＤＧの接続に対応する点灯状態で光源を点灯する（ステップＳ４）。ここで、２００ボルトの商用交流電源ＤＧの接続に対応する点灯状態とは、第１の光の量が第１の状態、又は、第２の状態のいずれかの状態であればよい。または、２００ボルトの商用交流電源ＤＧが接続されると、第１の光の量が第２の状態ではなく第１の状態となるように設定されていてもよい。例えば、光源部１１１がＬＥＤアレイを２０本有する場合、投射制御部１３１は、光源駆動部１２２により、２０本のＬＥＤアレイを点灯する。
【００４４】
また、制御部１３０は、光源部１１１が出射する第１の光の量を制御する機能の実行を受け付ける（ステップＳ４）。すなわち、２００ボルトの商用交流電源ＤＧに電源部１６０が接続する場合、プロジェクター１００は、メニュー画面ＭＧに対する、第１の光の量を制御する機能の実行の可否を指定する操作を受け付ける。ユーザーによる当該操作を受け付けた場合、制御部１３０は、受け付けた操作に応じて、第１の光の量を第１の状態、又は、第２の状態に制御し、スクリーンＳＣに放射する光の明るさを制御する。
【００４５】
次いで、投射制御部１３１は、２００ボルトの商用交流電源ＤＧに接続に対応する点灯状態で光源を点灯させ、投射を開始する（ステップＳ５）。
【００４６】
一方、２００ボルトの商用交流電源ＤＧに接続しないと判別した場合（ステップＳ２：ＮＯ）、電源制御部１３３は、電源部１６０が１００ボルトの商用交流電源ＤＧに接続するか否かを判別する（ステップＳ６）。１００ボルトの商用交流電源ＤＧに接続しないと判別した場合（ステップＳ６：ＮＯ）、制御部１３０は、電源部１６０が接続する商用交流電源ＤＧからの電力の供給不足により、プロジェクター１００が正常に動作できない状態であることを報知する（ステップＳ８）。制御部１３０は、操作パネル１５５が備えるインジケーターランプを点灯させる等の態様により、当該報知を実行する。これにより、ユーザーは、プロジェクター１００が接続する商用交流電源ＤＧが供給する電力では、プロジェクター１００が正常に動作できないことを認識できる。
【００４７】
一方、１００ボルトの商用交流電源ＤＧに接続すると判別した場合（ステップＳ６：ＹＥＳ）、制御部１３０は、低電圧モードを開始する（ステップＳ８）。本実施形態では、低電圧モードは、光源部１１１が出射する第１の光の量を第２の状態となるように、光源駆動部１２２が光源部１１１を制御するモードである。
また、低電圧モードは、光源部１１１が出射する第１の光の量の制御を制限するモードである。具体的には、低電圧モードは、第１の光の量が第２の状態となるように、第１の光の量の制御を制限するモードである。
【００４８】
次いで、制御部１３０は、低電圧モードを開始すると、１００ボルトの商用交流電源ＤＧの接続に対応する点灯状態で光源を点灯する（ステップＳ９）。ここで、１００ボルトの商用交流電源ＤＧの接続に対応する点灯状態とは、光源部１１１が出射する第１の光の量が第２の状態であることを示す。例えば、投射制御部１３１は、光源部１１１がＬＥＤアレイを２０本有する場合、２０本のうち８本のＬＥＤアレイを点灯する。
【００４９】
また、制御部１３０は、光源部１１１が出射する第１の光の量を制御する機能の実行の指示を受け付けない（ステップＳ９）。すなわち、１００ボルトの商用交流電源ＤＧに電源部１６０が接続する場合、制御部１３０は、メニュー画面ＭＧに対する第１の光の量を制御する機能の実行の可否を指定する操作を受け付けない。図２に示すメニュー画面ＭＧの場合、制御部１３０は、ボタンＢ１、及び、ボタンＢ２に対する選択の操作を受け付けない。
また、この場合に、投射制御部１３１は、メニュー画面ＭＧをグレーアウトする等、２００ボルトの商用交流電源ＤＧに接続する場合のメニュー画面ＭＧと異なる態様で投射する。
【００５０】
これによって、メニュー画面ＭＧに対する機能の実行の可否を指定する操作を受け付けないため、ユーザーが当該機能の実行を指示しているにも係らず、スクリーンＳＣに放射される光の量が制御できないといった不具合の発生を防止できる。また、低電圧モードを実行する場合、メニュー画面ＭＧをグレーアウトするため、ユーザーに対して当該機能の選択ができないことを報知でき、ユーザーが当該機能を実行できないことを認識する蓋然性が高まる。
【００５１】
次いで、投射制御部１３１は、１００ボルトの商用交流電源ＤＧの接続に対応する点灯状態で光源を点灯させ、投射を開始する（ステップＳ５）。次いで、投射制御部１３１は、低電圧モードでプロジェクター１００が動作することを示す情報を、投射部１１０が投射を開始してから所定の期間（例えば、３０秒間）スクリーンＳＣに投射する。例えば、投射制御部１３１は、投射部１１０が投射を開始してから３０秒間、「低電圧モードで駆動中です。」のメッセージを示す情報を投射する。これによって、ユーザーが、プロジェクター１００が通常の電圧より低い電圧によって駆動していることを認識できる。
【００５２】
なお、投射部１１０が投射を開始してから所定の期間投射するメッセージを示す情報は、低電圧モードでプロジェクター１００が動作していることを示す情報に限定されず、光の明るさを制御する機能の選択を受け付けないことを示す情報でもよい。これによって、ユーザーが、プロジェクター１００が１００ボルトの商用交流電源ＤＧに接続する場合に、光の明るさを制御する機能の選択が行えないことを認識できる。
【００５３】
以上、説明したように、本実施形態のプロジェクター１００は、第１の光を出射する光源部１１１、及び、画像データ（画像情報）に応じて、第１の光を変調した第２の光を出射する光変調装置１１２（光変調部）を備え、第２の光をスクリーンＳＣ（投射面）に投射する投射部１１０を備える。また、プロジェクター１００は、プロジェクター１００を駆動させる電力を生成する電源部１６０であって、１００ボルトの電圧（第１の電源電圧）を有する商用交流電源ＤＧ（第１の電源）、及び、２００ボルトの電圧（第２の電源電圧）を有する商用交流電源ＤＧ（第２の電源）のうちいずれかに接続した場合でも電力を生成する電源部１６０を備える。また、プロジェクター１００は、光源部１１１が出射する第１の光の量を制御する光源駆動部１２２を備える。また、プロジェクター１００は、電源部１６０が２００ボルトの商用交流電源ＤＧに接続する場合、光源部１１１による第１の光の量を制御する機能の実行を可能とし、電源部１６０が１００ボルトの商用交流電源ＤＧに接続する場合、機能の実行を制限する制御部１３０を備える。
【００５４】
これにより、電源部１６０が２００ボルトの商用交流電源ＤＧに接続する場合と、１００ボルトの商用交流電源ＤＧに接続する場合とで、第１の光の量の制御を変えるため、接続する商用交流電源ＤＧに応じて、出射する第１の光の量を制御する機能を実行できる。
【００５５】
また、投射制御部１３１は、電源部１６０が１００ボルトの商用交流電源ＤＧに接続する場合、出射する第１の光の量を制御する機能の選択を受け付けないことを示す表示を投射部１１０により投射させる。本実施形態において、投射制御部１３１は、グレーアウト等により、２００ボルトの商用交流電源ＤＧに接続する場合のメニュー画面ＭＧと異なる態様で、メニュー画面ＭＧを投射部１１０に投射させる。
【００５６】
これにより、機能の選択を受け付けるメニュー画面ＭＧと異なる態様により、出射する第１の光の量を制御する機能の選択を受け付けないことを示すメニュー画面ＭＧを投射するため、ユーザーに当該機能を選択できないことを報知できる。また、メニュー画面ＭＧをグレーアウトするため、ユーザーが当該機能を実行できないことを認識する蓋然性が高まる。
【００５７】
また、投射制御部１３１は、出射する第１の光の量を制御する機能の選択を受け付けないことを示す情報を、投射部１１０が投射を開始してから所定の期間、投射部１１０により投射させる。
【００５８】
これにより、投射部１１０が投射を開始してから所定の期間、出射する第１の光の量を制御する機能の選択を受け付けないことを示す情報を投射するため、ユーザーに当該機能の選択が行えないことを報知できる。そして、ユーザーは、当該報知により、出射する第１の光の量を制御する機能の選択ができないことを認識できる。つまり、ユーザーは、スクリーンＳＣに放射する光の明るさを制御できないことを認識できる。
【００５９】
また、投射制御部１３１は、出射する第１の光の量を制御する機能の実行の可否を指定する操作を行うためのメニュー画面ＭＧを投射部１１０により投射する。制御部１３０は、電源部１６０が１００ボルトの商用交流電源ＤＧに接続されている場合、メニュー画面ＭＧに対する当該機能の実行の可否を指定する操作を受け付けない。
【００６０】
これにより、メニュー画面ＭＧに対する、機能の実行の可否を指定する操作を受け付けないため、ユーザーが機能の実行を指示したにも係らず、出射する第１の光の量に制御を行わないといった不具合の発生を防止できる。
【００６１】
また、光源駆動部１２２は、第１の光の量を、出射する第１の光の量を制御する機能により、第１の状態と、第１の状態と異なる第２状態とする制御を実行する。光源駆動部１２２は、電源部１６０が２００ボルトの商用交流電源ＤＧに接続する場合、メニュー画面ＭＧに対する操作により設定された第１の状態又は第２の状態のいずれかに制御し、電源部１６０が１００ボルトの商用交流電源ＤＧに接続する場合、第１の光の量を第２の状態に制御する。
【００６２】
これにより、電源部１６０が２００ボルトの商用交流電源ＤＧに接続する場合、第１の光の量を第１の状態又は第２の状態のいずれかに制御し、電源部１６０が１００ボルトの商用交流電源ＤＧに接続する場合、第１の光の量を第１の状態に制御する。そのため、接続する商用交流電源ＤＧに応じて、出射する第１の光の量を制御する機能を実行できる。
【００６３】
＜変形例＞
次に、変形例について説明する。
変形例では、マルチプロジェクションシステムを例示して説明する。マルチプロジェクションシステムは、複数のプロジェクター１００を備え、複数のプロジェクター１００を並べて配置し、これら複数のプロジェクター１００による投射画像を組み合わせて、タイリング表示により１つの画像を投射するシステムである。
【００６４】
マルチプロジェクションシステムが備えるプロジェクター１００のそれぞれは、光源部１１１が出射する第１の光の量を制御する機能により、黒レベル補正や、色むら補正、色合い補正等の投射画像の調整を実行する。
【００６５】
マルチプロジェクションシステムが備えるプロジェクター１００のうち、調整の対象となる投射画像を投射するプロジェクター１００（以下、対象プロジェクターと表現する）は、２００ボルトの商用交流電源ＤＧに接続する場合、投射画像の調整の実行の可否を指定する操作を受け付ける。この場合、対象プロジェクターは、投射画像の調整の実行の可否を指定する操作を行うためのメニュー画面ＭＧを投射対象に投射する。そして、ユーザーによるメニュー画面ＭＧに対する操作に基づいて、対象プロジェクターは、投射画像の調整を実行する。
【００６６】
一方で、１００ボルトの商用交流電源ＤＧに接続する場合、対象プロジェクターは、当該操作を受け付けない。つまり、この場合、対象プロジェクターは、投射画像の調整の実行の可否を指定する操作を行うためのメニュー画面ＭＧに対する操作を受け付けない。
【００６７】
図４は、メニュー画面ＭＧの一例を示す図であり、黒レベル補正に係る処理の実行の可否を指定する操作を行うためのメニュー画面ＭＧを示す。
【００６８】
図４に示すメニュー画面ＭＧの一例は、リモコンや操作パネル１５５等の操作により選択し、投射画像に対する黒レベル補正に係る処理の実行の可否を指定するボタンＢ３〜Ｂ５を複数有する。
【００６９】
電源部１６０が２００ボルトの商用交流電源ＤＧに接続する場合、対象プロジェクターは、図４に示すメニュー画面ＭＧが備えるボタンＢ３〜Ｂ５のそれぞれに対する選択の操作を受け付ける。そして、ユーザーによる操作を受け付けた場合、選択したボタンに応じて、光源駆動部１２２により光源部１１１を制御して、対象プロジェクターは、黒レベル補正に係る処理を実行する。
【００７０】
一方で、電源部１６０が１００ボルトの商用交流電源ＤＧに接続する場合、対象プロジェクターは、図４に示すメニュー画面ＭＧが備えるボタンＢ３〜Ｂ５に対する操作を受け付けない。また、対象プロジェクターは、グレーアウトにする等、２００ボルトの商用交流電源ＤＧに接続する場合に投射するメニュー画面ＭＧと異なる態様でメニュー画面ＭＧを投射する。これにより、メニュー画面ＭＧに対する、機能の実行の可否を指定する操作を受けないため、対象プロジェクターにおいて、ユーザーが投射画像の調整の実行を指示したにも係らず、投射画像の調整ができないといった不具合の発生を防止できる。また、メニュー画面ＭＧをグレーアウトにする等、２００ボルトの商用交流電源ＤＧに電源部１６０が接続する場合のメニュー画面ＭＧと異なる態様で、メニュー画面ＭＧを投射するため、対象プロジェクターは、投射画像の調整の実行の指示できないことを報知できる。図４に示すメニュー画面ＭＧの一例では、ユーザーに対し、黒レベル補正に係る処理の実行ができないことを報知できる。
【００７１】
なお、上述した実施形態、及び、変形例は、本発明の好適な実施形態の一例を示すものであり、本発明の要旨を逸脱しない範囲内において種々の変形実施が可能である。
【００７２】
例えば、上述した実施形態では、プロジェクター１００の電源部１６０が１００ボルトの商用交流電源ＤＧに接続される場合、制御部１３０は、メニュー画面ＭＧに対する、機能の実行の可否を指定する操作を受け付けない構成を例示した。しかしながら、この構成に限定されず、メニュー画面ＭＧに遷移するための操作を受け付けない構成でもよい。同様に、マルチプロジェクションシステムにおける対象プロジェクターの制御部１３０は、メニュー画面ＭＧに遷移するための操作を受け付けない構成でもよい。
【００７３】
また、例えば、上述したプロジェクター１００は、スクリーンＳＣの前方から投射するフロントプロジェクション型のプロジェクターでもよく、スクリーンＳＣの背面側から投射するリアプロジェクション（背面投射）型のプロジェクターでもよい。
【００７４】
また、例えば、図３の処理単位は、プロジェクター１００の処理を理解容易にするために、主な処理内容に応じて分割したものであり、処理単位の分割の仕方や名称によって、本発明が限定されることはない。プロジェクター１００の処理は、処理内容に応じて、されに多くの処理単位に分割してもよい。また、１つの処理単位がさらに多くの処理を含むように分割してもよい。
【００７５】
また、図１に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した各実施形態においてソフトウェアで実現される機能の一部をハードウェアとしてもよく、或いは、ハードウェアで実現される機能の一部をハードウェアで実現してもよい。その他、プロジェクター１００の他の各部の具体的な細部構成についても、本発明の趣旨を逸脱しない範囲で任意に変更可能である。
【符号の説明】
【００７６】
１００…プロジェクター、１０５…バス、１１０…投射部、１１１…光源部、１１２…光変調装置（光変調部）、１１２Ａ…液晶パネル、１１３…投射光学系、１１４…投射開口部、１２１…投射光学系駆動部、１２２…光源駆動部、１２３…光変調装置駆動部、１２４…Ｉ／Ｆ部、１２５…画像処理部、１２６…フレームメモリー、１３０…制御部、１３１…投射制御部、１３２…通信制御部、１３３…電源制御部、１５１…記憶部、１５３…入力処理部、１５４…リモコン受光部、１５５…操作パネル、１５６…通信部、１６０…電源部、ＤＧ…商用交流電源、ＳＣ…スクリーン。
【図１】
2017129698.tif 000003
【図２】
2017129698.tif 000004
【図３】
2017129698.tif 000005
【図４】
2017129698.tif 000006